(57)【特許請求の範囲】
【請求項１】
天井につり下げられる空気調和機本体を備え、この空気調和機本体の室内側の面に取り付けられるパネルを備えた、空気調和機における当該パネルの梱包装置において、
前記パネルの裏面を覆う段ボール製の裏面材と、前記パネルの表面を覆う段ボール製の表面材と、前記パネルの短手側の端面を覆う段ボール製の一対の梱包パッドとを備え、前記梱包パッドがパネルの裏面を保持する下パッドと、パネルの表面を保持する上パッドとに分割構成され、上パッドが、一枚の段ボール紙３３（３５）を折り線Ａ，Ｂに沿って折り曲げて二つの立ち片３３Ａ，３３Ｂ（３５Ａ，３５Ｂ）を立ち上げ、立ち片３３Ａ，３３Ｂ（３５Ａ，３５Ｂ）の両側に位置する立ち片３３Ｅ，３３Ｆ（３５Ｅ，３５Ｆ）を折り線Ｇ，Ｈに沿って折り曲げて立ち上げた後、折り線Ｉ，Ｊに沿ってそれぞれ折り曲げて立ち片３３Ｅ，３３Ｆ（３５Ｅ，３５Ｆ）の切り欠き部Ｋ，Ｌと、立ち片３３Ａ，３３Ｂ（３５Ａ，３５Ｂ）の溝部Ｍ，Ｎとを嵌合させて、両側に立ち片３３Ｅ，３３Ｆ（３５Ｅ，３５Ｆ）で形成される脚部２１Ｃを有し、中央部に立ち片３３Ａ，３３Ｂ（３５Ａ，３５Ｂ）で形成され、パネルの表面を保持する部分を有する上パッド２１Ｂ−１（２１Ｂ−２）として構成し、この梱包パッドによって、梱包済みの複数のパネルを上下に段積みする場合の圧縮方向荷重を受けると共に、落下強度を確保するように構成したことを特徴とする空気調和機の梱包装置。
【請求項２】
前記パネルの長手側の略中央部に当該長手側の側縁から前記パネルの表面の中央部に向けて延びる段ボール製の一対の中間パッドを備え、
前記梱包パッドとこの中間パッドとによって梱包済みの複数のパネルを上下に段積みする場合の圧縮方向荷重を受けるように構成したことを特徴とする請求項１記載の空気調和機の梱包装置。
【発明の詳細な説明】
【０００１】
【発明の属する技術分野】
本発明は、いわゆる発泡スチロールレスであって、段ボール紙だけを使用した室内機の梱包装置に関する。
【０００２】
【従来の技術】
一般に、天井につり下げられる空気調和機本体を備え、この空気調和機本体の室内側の面に取り付けられるパネルを備えた、空気調和機における当該パネルの梱包装置が知られている。
【０００３】
この種のものでは、空気調和機本体とパネルとが別々に梱包され、別梱包で工場出荷される。パネルの梱包には高い強度が要求される。この梱包強度には、梱包済みの複数のパネルを上下に段積みした場合の圧縮方向荷重を受けるための強度と、落下試験時に、稜と角において、パネルに破損が発生しない程度の衝撃に対する強度とがある。
【０００４】
これらの強度を満足させるため、従来では、梱包材として、例えば発泡スチロール等を使用していたが、この場合、使用後の発泡スチロール等の回収、処理が困難であり、近年では、いわゆる発泡スチロールレスの、段ボールだけの梱包装置が提案されている。
【０００５】
【発明が解決しようとする課題】
しかし、従来の構成による段ボールだけの梱包装置では、十分な梱包強度が得られないという問題がある。
【０００６】
そこで、本発明の目的は、上述した従来の技術が有する問題点を解消し、十分な梱包強度を得ることができる、いわゆる発泡スチロールレスの、段ボールだけの梱包装置を提供することにある。
【０００７】
【課題を解決するための手段】
請求項１記載の発明は、天井につり下げられる空気調和機本体を備え、この空気調和機本体の室内側の面に取り付けられるパネルを備えた、空気調和機における当該パネルの梱包装置において、前記パネルの裏面を覆う段ボール製の裏面材と、前記パネルの表面を覆う段ボール製の表面材と、前記パネルの短手側の端面を覆う段ボール製の一対の梱包パッドとを備え、前記梱包パッドがパネルの裏面を保持する下パッドと、パネルの表面を保持する上パッドとに分割構成され、上パッドが、一枚の段ボール紙３３（３５）を折り線Ａ，Ｂに沿って折り曲げて二つの立ち片３３Ａ，３３Ｂ（３５Ａ，３５Ｂ）を立ち上げ、立ち片３３Ａ，３３Ｂ（３５Ａ，３５Ｂ）の両側に位置する立ち片３３Ｅ，３３Ｆ（３５Ｅ，３５Ｆ）を折り線Ｇ，Ｈに沿って折り曲げて立ち上げた後、折り線Ｉ，Ｊに沿ってそれぞれ折り曲げて立ち片３３Ｅ，３３Ｆ（３５Ｅ，３５Ｆ）の切り欠き部Ｋ，Ｌと、立ち片３３Ａ，３３Ｂ（３５Ａ，３５Ｂ）の溝部Ｍ，Ｎとを嵌合させて、両側に立ち片３３Ｅ，３３Ｆ（３５Ｅ，３５Ｆ）で形成される脚部２１Ｃを有し、中央部に立ち片３３Ａ，３３Ｂ（３５Ａ，３５Ｂ）で形成され、パネルの表面を保持する部分を有する上パッド２１Ｂ−１（２１Ｂ−２）として構成し、この梱包パッドによって、梱包済みの複数のパネルを上下に段積みする場合の圧縮方向荷重を受けると共に、落下強度を確保するように構成したことを特徴とする。
【００１１】
請求項２記載の発明は、請求項１記載のものにおいて、前記パネルの長手側の略中央部に当該長手側の側縁から前記パネルの表面の中央部に向けて延びる段ボール製の一対の中間パッドを備え、前記梱包パッドとこの中間パッドとによって梱包済みの複数のパネルを上下に段積みする場合の圧縮方向荷重を受けるように構成したことを特徴とする。
【００１４】
【発明の実施の形態】
以下、本発明の一実施の形態を添付図面に従って説明する。
【００１５】
図１は、２つの空気吹出し口を備えた、一般的に、いわゆる２方向カセットと呼称される天井埋込型空気調和機を示している。１は箱形の室内機本体を示し、この室内機本体１には、送風機３、熱交換器５、発泡スチロール製のドレンパン７、図示を省略したドレンポンプ等の各種機器類が収納されている。
【００１６】
この室内機本体１は、被調和室の天井に複数本の吊りボルト（図示せず）を介して吊り下げられ、この室内機本体１の下側を向いた開口面には、パネル９が重ね合わせて取り付けられている。
【００１７】
この種のものでは、空気調和機本体１とパネル９とが別々に梱包され、別梱包された状態で工場出荷される。
【００１８】
このパネル９の梱包装置は、図２に示すように、パネル９の裏面（パネルでは表面となるが、説明の便宜上、以下、裏面という。）９Ａを覆う段ボール製の裏面材１１と、パネル９の表面（パネルでは裏面となるが、説明の便宜上、以下、表面という。）９Ｂを覆う段ボール製の表面材１３と、パネル９の短手側の端面９Ｃを覆う段ボール製の一対の梱包パッド２１とを備え、この梱包パッド２１はパネルの裏面９Ａを保持する下パッド２１Ａと、パネルの表面９Ｂを保持する上パッド２１Ｂとに分割構成されている。
【００１９】
また、パネル９の長手側の略中央部には、当該長手側の側縁９Ｄからパネル９の表面９Ｂの中央部に向けて延びる段ボール製の一対の中間パッド２３Ａ，２３Ｂを備えて構成されている。
【００２０】
梱包の手順を説明すると、図３に示すように、まず、段ボール製の裏面材１１の四隅に、それぞれ下パッド２１Ａを配置し、裏面材１１の中央に短手方向に延びる中央下パッド２５を配置し、これらパッド２１Ａ，２５の上に載せるように、裏面材１１の内側にパネル９を配置する。
【００２１】
ついで、パネル９の上に、パネル９の表面９Ｂを保持する上パッド２１Ｂ、及び中間パッド２３Ａ，２３Ｂを載せる。この場合、上パッド２１Ｂの脚部２１Ｃ、及び中間パッド２３Ａ，２３Ｂの脚部２３Ｃが、パネル９の表面９Ｂの周縁部９Ｅに載るように配置する。最後に、図２に示すように、パネル９の上に、段ボール製の表面材１３を被せ、ＰＰバンド２７によって、裏面材１１と表面材１３を結束する。２９は包装用のフィルムである。
【００２２】
上記構成では、梱包済みの複数のパネル９が、上下に段積みされる場合の圧縮方向荷重を、すべてのパッド２１，２３Ａ，２３Ｂで受け、梱包パッド２１で、落下強度を確保するように構成される。
【００２３】
図２において、パネル９の表面９Ｂにおける短手側の一側部には、図示を省略したルーバー開閉用のモータ３１が突出している。このため、一対の上パッド２１Ｂの形状はそれぞれ異なっている。
【００２４】
図４は、モータ３１側の上パッド２１Ｂ−１の製造手順を示す。図４Ａに示すように、一枚の段ボール紙３３を準備し、まず、折り線Ａ，Ｂに沿って、図４Ｂに示すように、二つの立ち片３３Ａ，３３Ｂを立ち上げる。
【００２５】
ついで、一方の立ち片３３Ｂの両端に形成された片３３Ｃ，３３Ｄを、図４Ｃに示すように、矢印Ｃ，Ｄの方向に折り曲げ、さらに、立ち片３３Ａ，３３Ｂの両側に位置する立ち片３３Ｅ，３３Ｆを、折り線Ｇ，Ｈに沿って、矢印Ｅ，Ｆ方向に立ち上げる。これを立ち上げた後、折り線Ｉ，Ｊに沿って、それぞれ折り曲げ、立ち片３３Ｅ，３３Ｆの切り欠き部Ｋ，Ｌと、立ち片３３Ａ，３３Ｂの溝部Ｍ，Ｎとを嵌合させる。これにより、図４Ｄ，Ｅに示すように、両側に脚部２１Ｃを有した上パッド２１Ｂ−１が形成される。
【００２６】
図５は、別の上パッド２１Ｂ−２の製造手順を示す。図５Ａに示すように、一枚の段ボール紙３５を準備し、まず、折り線Ａ，Ｂに沿って、図５Ｂに示すように、二つの立ち片３５Ａ，３５Ｂを立ち上げる。
【００２７】
ついで、立ち片３５Ａ，３５Ｂの両側に位置する立ち片３５Ｅ，３５Ｆを、折り線Ｇ，Ｈに沿って、図５Ｃに示すように、矢印Ｅ，Ｆ方向に立ち上げる。これを立ち上げた後、折り線Ｉ，Ｊに沿って、それぞれ折り曲げ、立ち片３５Ｅ，３５Ｆの切り欠き部Ｋ，Ｌと、立ち片３５Ａ，３５Ｂの溝部Ｍ，Ｎとを嵌合させる。これにより、図５Ｄに示すように、両側に脚部２１Ｃを有した上パッド２１Ｂ−２が一体的に形成される。
【００２８】
図６は、中間パッド２３Ａ，２３Ｂの製造手順を示す。
【００２９】
図６Ａに示すように、一枚の段ボール紙３７を準備し、まず、折り線Ａ，Ｂに沿って、図６Ｂに示すように、二つの立ち片３７Ａ，３７Ｂを立ち上げる。ついで、立ち片３７Ａ，３７Ｂの両側に位置する立ち片３７Ｅ，３７Ｆを、折り線Ｇ，Ｈに沿って、図６Ｃに示すように、折り曲げて、その後、折り線Ｉ，Ｊに沿って、図６Ｄに示すように、内側に折り曲げる。これを折り曲げた後、折り線Ｋ，Ｌに沿って、それぞれ折り曲げ、立ち片３７Ｅ，３７Ｆの切り欠き部Ｍ，Ｎと、立ち片３７Ａ，３７Ｂの溝部Ｏ，Ｐとを嵌合させる。これにより、図６Ｅに示すように、脚部２３Ｃを有したパッド２３Ａ，２３Ｂが形成される。
【００３０】
図６Ｅは、二つの中間パッド２３Ａ，２３Ｂを一体的に形成した図であり、実際には、図６Ｆに示すように、段ボール紙３７に設けたミシン目３７Ｘによって、二分割されて使用される。
【００３１】
図７は、下パッド２１Ａの製造手順を示す。図７Ａに示すように、一枚の段ボール紙３９を準備し、まず、折り線Ａ，Ｂに沿って、二つの立ち片３９Ａ，３９Ｂを立ち上げる。ついで、折り線Ｃ，Ｄに沿って、図７Ｂに示すように、立ち片３９Ａ，３９Ｂを折り曲げる。この立ち片３９Ａ，３９Ｂをさらに折り線Ｅに沿って折り曲げ、図７Ｃに示すように、この立ち片３９Ａ，３９Ｂを立ち上げる。つぎに、立ち片３９Ｄを、矢印Ｆの方向に立ち上げ、さらに、図７Ｄに示すように、立ち片３９Ｄを、矢印Ｇ，Ｈの方向に折り曲げ、この立ち片３９Ｄを、図７Ｅに示すように、立ち片３９Ａ，３９Ｂの内側に重ねる。
【００３２】
図７Ｅは、二つの下パッド２１Ａを一体的に形成した図であり、実際には、図７Ｆに示すように、段ボール紙３９に設けたミシン目３９Ｘによって、二分割されて使用される。
【００３３】
本実施形態では、一枚の段ボール紙を使用し、これを折り込んで、各種パッドを製造しているため、段ボール紙のロスが少なくなり、製造工程が省略され、各種パッドを極めて簡単に製造することができる。
【００３４】
また、二つの中間パッド２３Ａ，２３Ｂ、及び二つの下パッド２１Ａは、それらを一体的に形成した後、段ボール紙に設けたミシン目によって、二分割されて形成されるため、製造工数の削減が図られる。
【００３５】
以上、一実施の形態に基づいて本発明を説明したが、本発明は、これに限定されるものでないことは明らかである。
【００３６】
【発明の効果】
本発明では、梱包パッドによって梱包済みの複数のパネルを上下に段積みする場合の圧縮方向荷重を受けると共に、落下強度を確保するように構成したため、いわゆる発泡スチロールレスの、段ボールだけの梱包装置を提供することができ、十分な梱包強度を得ることができる。
【図面の簡単な説明】
【図１】空気調和機の断面図である。
【図２】本発明による空気調和機の梱包装置の一実施形態を示す分解斜視図である。
【図３】同じくパネルの梱包手順を説明する図である。
【図４】モータ側の上パッドの製造手順を示す図である。
【図５】別の上パッドの製造手順を示す図である。
【図６】中間パッドの製造手順を示す図である。
【図７】下パッドの製造手順を示す図である。
【符号の説明】
１  空気調和機本体
９  パネル
１１  裏面材
１３  表面材
２１  梱包パッド
２１Ａ  下パッド
２１Ｂ  上パッド
２３Ａ，２３Ｂ  中間パッド
【図１】
0003913567.tif 000002
【図２】
0003913567.tif 000003
【図３】
0003913567.tif 000004
【図４】
0003913567.tif 000005
【図５】
0003913567.tif 000006
【図６】
0003913567.tif 000007
【図７】
0003913567.tif 000008